(57)【要約】      （修正有）【課題】コイル内径部に内径垂れが発生している鋼帯コイルをペイオフリールに挿入するためのコイル内径保持用リールドラムキャップおよびそれを用いたコイル挿入方法を提供する。【解決手段】コイル内径垂れ保持用リールドラムキャップは、ゴムスリーブを介したリールドラムの先端に、ラウンドノーズ（丸い弾頭）状キャップを装着することを特徴とする。また、ゴムスリーブを介したリールドラムに前記リールドラムキャップを装着した状態で、鋼帯コイルをペイオフリールに挿入することによってコイル内径部に発生する内径垂れを修正しながら挿入することを特徴とする。さらに、ゴムスリーブを介したリールドラムに前記リールドラムキャップを装着した状態で鋼帯コイルをペイオフリールから抜き出す際に障害となるコイル内径部に発生する内径垂れを修正しながら抜き出すことを特徴とする。【選択図】図１
2008246544.tif 000002
【特許請求の範囲】
【請求項１】
鋼帯コイルの内径部に発生する内径垂れを防止するコイル内径垂れ保持用の部材であって、ゴムスリーブを介したリールドラムの先端に、ラウンドノーズ（丸い弾頭）状キャップを装着することを特徴とするコイル内径垂れ保持用リールドラムキャップ。
【請求項２】
請求項１に記載のコイル内径垂れ保持用リールドラムキャップを用いたコイル挿入方法であって、ゴムスリーブを介したリールドラムに前記リールドラムキャップを装着した状態で、鋼帯コイルをペイオフリールに挿入する際に障害となるコイル内径部に発生する内径垂れを修正しながら挿入することを特徴とするコイル挿入方法。
【請求項３】
請求項１に記載のコイル内径垂れ保持用リールドラムキャップを用いたコイル抜き出し方法であって、ゴムスリーブを介したリールドラムに前記リールドラムキャップを装着した状態で鋼帯コイルをペイオフリールから抜き出す際に障害となるコイル内径部に発生する内径垂れを修正しながら抜き出すことを特徴とするコイル抜き出し方法。
【発明の詳細な説明】
【技術分野】
【０００１】
本発明は、鋼帯コイルの内径部に装着して、該コイル内径部に発生する内径垂れを防止するコイル内径保持用リールドラムキャップおよびそれを用いたコイル挿入方法に関する。
具体的には、鋼帯コイルをペイオフリールに挿入するときに、コイル内径部に内径垂れが発生しているコイルでも通常のコイルと同様に作業性を損なうことなくコイル挿入作業を行うためのコイル内径保持用リールドラムキャップおよびそれを用いたコイル挿入・抜き出し方法に関する。
【背景技術】
【０００２】
コイル状に巻き取った鋼帯を払い出すペイオフリールに鋼帯コイルを挿入する際に、図４に示すように、コイル内径部に鋼帯の端部が垂れ下がる内径垂れが生じていると、それが障害となってコイルをリールに挿入することが困難となり、コイル内径とリールが干渉してコイルに損傷を与えたり、コイルがリールに収まらず落下したりする危険性がある。
この内径垂れは、特に鋼帯に腰のない薄物材で発生しやすく、従来は、内径垂れのあるコイルについては、調芯後にコイルを一旦リールに近接させておき人手で内径部数巻きをリール側に押出して橋渡ししておいてからコイルを挿入したり、事前に内径垂れ部を切除しておくといった臨時作業が発生し、コイル替え作業時間ロスや歩留ロスを発生させていた。
【０００３】
鋼帯コイルの内径垂れを防止する方法に関しては従来から種々の提案がなされており、例えば、特開平１−２７８９１３号公報には、コイル内径終端をテープで留めることによって内径垂れを防止する方法が開示されている。しかし、この方法は、テープ片が通板ロール等に付着し押疵や異物付着等の品質欠陥に繋がるという問題点があったため採用することができなかった。また、特開平１−１７０５１９号公報および特開平１−２６６９１８号公報には、コイル内径終端をクリップで留め内径垂れを防止する方法が開示されている。しかし、この方法は、クリップがコイルカーピットに落ち込み回収が困難であるため、コイルを搬送するコイルカー設備のトラブルに繋がるうえ、クリップが鋼帯搬送路上に落下した場合は、押疵や摺疵などの品質欠陥に繋がるという問題点があったため採用することができなかった。
【０００４】
また、特開平３−４９６７０号公報および特開平１−３０９７２２号公報には、コイル内径終端を溶接留めして内径垂れを防止する方法が開示されている。しかし、この方法は、ラインでコイルを捲き戻す際にペイオフリールに鋼帯が残り歩留まりロスが発生し、残った鋼帯の処置に
手間と時間のロスが発生するうえ、溶接のための専用の装置が必要となるのでそのコストが発生するという問題点があった。また、特開平５−３８５２０号公報および特開平２−２２４８１６号公報には、コイル内径終端を接着剤で留めて内径垂れを防止する方法が開示されている。しかし、この方法は、接着剤が通板ロール等に付着し押疵や異物付着等の品質欠陥に繋がるうえ、接着剤が強力でペイオフリール尻抜け時にも剥れない場合は前述の溶接留めの場合と同様の欠点が生じるという問題点があったため採用することができなかった。また、特開２０００−２５４７２６号公報には、センサーで内径垂れ量を測定し、それに接触しない径までリール径を拡縮して調節する方法が開示されている。しかし、この方法は、リール縮小径には限界があり内径垂れ量が大きくなると(薄手ではよくある)対応することができないうえ、内径垂れ量を自動測定しリール径を拡縮するための専用の装置が必要となり、そのコストが発生するという問題点があった。また、特開２００６−１６７７２３号公報には、コイル挿入作業時にコイル内径垂れ部に楕円状ゴムリングと支持板からなる保持治具を用いる方法が開示されている。最終的にコイル外に排出されて回収でき繰り返し使用できるとしているが、そのままでは散乱し、その都度、回収作業が発生するとともに保持治具の置き場所も必要である。
【特許文献１】特開平１−２７８９１３号公報
【特許文献２】特開平１−１７０５１９号公報
【特許文献３】特開平１−２６６９１８号公報
【特許文献４】特開平３−０４９６７０号公報
【特許文献５】特開平１−３０９７２２号公報
【特許文献６】特開平５−０３８５２０号公報
【特許文献７】特開平２−２２４８１６号公報
【特許文献８】特開２０００−２５４７２６号公報
【特許文献９】特開２００６−１６７７２３号公報
【発明の開示】
【発明が解決しようとする課題】
【０００５】
本発明は、前述のような従来技術の問題点を解決し、鋼帯コイルをペイオフリールに挿入するときに、コイル内径部に内径垂れが発生しているコイルでも通常のコイルと同様に作業性を損なうことなくコイル挿入作業を行うためのコイル内径保持用リールドラムキャップおよびそれを用いたコイル挿入・抜き出し方法を提供することを目的とする。
【課題を解決するための手段】
【０００６】
本発明は、前述の課題を解決するために検討の結果、ゴムスリーブを介したリールドラムの先端に挿入し易いような丸みを帯びた弾頭状キャップを取り付ける簡便な構造により、鋼帯コイルをペイオフリールに挿入するときに、コイル内径部に内径垂れが発生しているコイルでも通常のコイルと同様に作業性を損なうことなくコイル挿入作業を行うためのコイル内径垂れ保持用リールドラムキャップおよびそれを用いたコイル挿入方法を提供するものであり、その要旨とするところは下記内容のとおりである。
１．鋼帯コイルの内径部に発生する内径垂れを防止するコイル内径保持用の部材であって、ゴムスリーブを介したリールドラムの先端に、ラウンドノーズ（丸い弾頭）状キャップを装着することを特徴とするコイル内径垂れ保持用リールドラムキャップ。
２．請求項１に記載のコイル内径垂れ保持用リールドラムキャップを用いたコイル挿入方法であって、ゴムスリーブを介したリールドラムに前記リールドラムキャップを装着した状態で、鋼帯コイルをペイオフリールに挿入することによってコイル内径部に発生する内径垂れを修正しながら挿入することを特徴とするコイル挿入方法。
３．請求項１に記載のコイル内径垂れ保持用リールドラムキャップを用いたコイル抜き出し方法であって、ゴムスリーブを介したリールドラムに前記リールドラムキャップを装着した状態で鋼帯コイルをペイオフリールから抜き出す際に障害となるコイル内径部に発生する内径垂れを修正しながら抜き出すことを特徴とするコイル抜き出し方法。
【発明の効果】
【０００７】
本発明によれば、ゴムスリーブを介したリールドラムの先端に、丸みを帯びたラウンドノーズ状のキャップを取り付ける簡便な構造により、鋼帯コイルをペイオフリールに挿入するときに、コイル内径部に内径垂れが発生しているコイルでも通常のコイルと同様に作業性を損なうことなくコイル挿入作業を行うためのコイル内径垂れ保持用リールドラムキャップおよびそれを用いたコイル挿入・抜き出し方法を提供することができ、具体的には以下のような産業上有用な効果を奏する。
１）ペイオフリールによるコイル挿入作業に際して、鋼板品質への悪影響がない。 
２）キャップの装着作業は発生するがオフライン作業(入側コイル準備作業)なのでラインの生産能率には影響しないため、余分な作業の発生によるラインの生産能率への悪影響がない。
３）内径垂れのある鋼帯コイルでも、内径垂れのない通常のコイルと同様のコイル挿入作業ができ、内径垂れの大小によらず同じ効果が得られるため、コイル自動挿入にも対応できる。
４）特別な装置を必要とせず、安価・短期に製作可能でありかつ繰り返し使用できるのでコストが殆どかからない。
５）回収作業や治具の置き場所が不要であり、一度キャップを取り付ければ半永久的にそのまま使用できる。
【発明を実施するための最良の形態】
【０００８】
発明を実施するための最良の形態について、図１乃至図３を用いて詳細に説明する。
図１は、本発明におけるコイル内径垂れ保持用リールドラムキャップの実施形態を例示する断面・模式図である。
本発明におけるコイル内径垂れ保持用リールドラムキャップは、コイル状に巻き取った鋼帯を払い出すペイオフリールに鋼帯コイルを挿入する際に、図４に示すように、コイル内径部に鋼帯の端部が垂れ下がる内径垂れを防止する方法として、鋼帯コイルの内径より小さな外径を有するゴムスリーブを介したリールドラムの先端に、ステンレス鋼等の金属やプラスチック等で作製された当該キャップを装着することを特徴とする。
【０００９】
ペイオフリールに鋼帯コイルを挿入する前に、このコイル内径垂れ保持用リールドラムキャップをあらかじめゴムスリーブを介したリールドラムに装着しておけば、以降は、内径垂れのない通常のコイルと同様にリール挿入ができ、リール挿入の過程でリール端面に押されてリール軸心方向に滑りながら内径垂れを保持し続け、最終的にコイル外部に押し出されるが、逆にコイルから抜き出す場合も全体が曲面を有するキャップのため、滑り易いので抵抗なく、鋼帯コイルを抜き出せる。この内径垂れ保持用キャップを内径垂れのあるコイルに用いることにより、コイル替え作業時間ロスや歩留ロスの発生が解消できるとともに、内径垂れのあるコイルでもペイオフリールへの自動挿入を行うことができる。
【００１０】
図２は、本発明のコイル内径垂れ保持用リールドラムキャップを装着したペイオフリールに鋼帯コイルを挿入する場合を例示する断面図を示す。
図２に示すように、本発明のコイル内径垂れ保持用リールドラムキャップは、ペイオフリールのリールドラム径よりも大きいことが特徴である。鋼帯コイルを挿入する際は、リールドラムを縮めた状態にして行い、曲面を帯びたキャップは、内径垂れを徐々に押し拡げて、修正しながら挿入し、最後まで外へはみ出すことなく、コイル装着が完了できる。
また、内径垂れのないコイルも同様にコイル挿入作業を行うことができる。
さらに、内径垂れが大きくても同様の効果を得ることができる。
なお、キャップの径をリールドラム径よりも大きくすることにより、鋼帯コイル尾端でのゴムスリーブを切り裂くなどの損傷を防止できる。
【００１１】
内径垂れの発生している鋼帯コイルをペイオフリールに挿入する際、そのままでは、内径部の鋼板の損傷や、場合によっては挿入失敗によるコイル落下などの危険性があり、従来は、コイルを調芯後リールに近接させておき内径部数巻きをリール側に押出して橋渡ししておいてからコイル挿入するなどの臨時作業が発生し、このため時間ロスを生じていたが、本発明によれば、予めプラスチック等で作製したキャップを、ゴムスリーブを介したリールドラムへ数個のビス等で押えるだけの簡単な作業であり、鋼帯コイルをペイオフリールに挿入するときにコイル内径部に内径垂れが発生している鋼帯コイルでも通常のコイルと同様に作業性を損なうことなくコイル挿入作業を行うためのコイル内径垂れ保持用リールドラムキャップ及びそれを用いたコイル挿入方法を提供することができる。
【００１２】
図３は、本発明のコイル内径垂れ保持用リールドラムキャップを装着したペイオフリールからコイルを抜き出す場合を例示する断面図を示す。
通常は、ペイオフリールに鋼帯コイルが完全に装着された状態から、コイルを抜き出す際にコイル内径部の尾端がペイオフリールの先端に引っ掛かり、竹の子状に崩れることがある。本発明では、図３に示すように、キャップが滑らかな曲面を有することから、鋼帯コイル尾端に沿って拡がるため、ほとんど抵抗なくコイル抜き出しが可能となる。
【実施例】
【００１３】
内径垂れを有するコイル内径５０８ｍｍの鋼帯コイルを、ゴムスリーブを介したリールドラムにコイル内径垂れ保持用キャップを取付けたペイオフリールに装着したところ、内径垂れがないコイルと同様にペイオフリールへの装着を行うことができ、本発明のコイル内径垂れ保持用リールドラムキャップの効果が確認された。  
【図面の簡単な説明】
【００１４】
【図１】本発明におけるコイル内径垂れ保持用リールドラムキャップの実施形態を例示する断面・模式図である。
【図２】本発明のコイル内径垂れ保持用リールドラムキャップを装着したペイオフリールに鋼帯コイルを挿入する場合を例示する断面図である。
【図３】本発明のコイル内径垂れ保持用リールドラムキャップを装着したペイオフリールからコイルを抜き出す場合を例示する断面図である。
【図４】本発明が課題とするコイル内径垂れを説明する図である。
【図２】
2008246544.tif 000003
【図３】
2008246544.tif 000004
【図１】
2008246544.tif 000005
【図４】
2008246544.tif 000006